(57)【要約】【課題】  広幅から複数の製品に多条裁断する際、製品間に設けられた廃棄部を狭くすることができる裁断方法、及び裁断装置を提供する。【解決手段】  皿バネ３０，３２により、上刃２９，３１が上刃ホルダ２４，２５の上刃押さえ部２７，２８に付勢される。皿バネ３０，３２はネジ４０，４２により上刃ホルダ２４，２５に加圧され、固定される。上刃ホルダ２４のネジ４０の頭部が、上刃ホルダ２５の切欠き５０、上刃３１の切欠き５２、皿バネ３２の切欠き５４に収容される。一方、上刃ホルダ２５のネジ４２の頭部が、上刃ホルダ２４の切欠き６０、上刃２９の切欠き６２、皿バネ３０の切欠き６４に収容される。上刃２９，３１を下刃３３，３４に押し付けながら、ウエブＷを中抜きしながら裁断する。【選択図】  図２
2011177868.tif 000002
【特許請求の範囲】
【請求項１】
刃先が外側になるように２枚の上刃が同一軸に設置され、前記上刃の間に背中合わせで設置された２枚の皿ばねの弾性力によって前記上刃が外側の下刃に押し付けることにより連続走行する帯状のウエブを多条のウエブに裁断するウエブの裁断方法であって、
左右それぞれ一組の前記皿ばねと前記上刃の内周部の同一箇所に切欠きを設け、かつ左右の前記皿ばねと前記上刃の切欠きの位相をずらすことで、一方の前記皿ばねの軸方向への位置規制手段を他方の前記皿ばねと前記上刃の切欠き部に設置させるウエブの裁断方法。
【請求項２】
刃先を外側になるように第１の軸に設置された２枚の上刃を備える上刃ユニットと第２の軸に設置された２枚の下刃を備える下刃ユニットにより連続走行する帯状のウエブを多条のウエブに裁断するウエブの裁断方法であって、
前記上刃ユニットは上刃押さえ部を備える２つの上刃ホルダを備え、前記各上刃ホルダの前記上刃押さえ部に接するように前記上刃が配置され、前記上刃に付勢力を与える皿バネが前記上刃ホルダに取り付けられた位置規制手段で固定され、
位置規制手段の場所とは別の箇所において、前記各上刃ホルダ、前記各上刃、前記各皿バネの同一箇所に切欠きが形成され、
２つの前記上刃ホルダを、一方の前記上刃ホルダの前記位置規制手段が他方の前記上刃ホルダの前記切欠きで構成される空間に位置するように密着させ、
前記２枚の上刃の外側に配置された２枚の下刃で切断するウエブの裁断方法。
【請求項３】
請求項１又は２のウエブの裁断方法であって、前記位置規制手段がネジであるウエブの裁断方法。
【請求項４】
請求項１〜３の何れか記載のウエブの裁断方法であって、前記ウエブは、表面に感光層が塗布されたウエブであるウエブの裁断方法。
【請求項５】
請求項１〜４の何れか記載のウエブの裁断方法であって、前記ウエブの両端部を同時に裁断する上刃と下刃のセットを２組さらに備えるウエブの裁断方法。
【請求項６】
連続走行する帯状のウエブを多条のウエブに裁断するウエブの裁断装置であって、
少なくとも前記ウエブの幅内に設置された裁断機構を備え、
前記裁断機構が、
刃先が外側になるように同一軸に設置された２枚の上刃と、
前記２枚の上刃の外側に配置された２枚の下刃と、
前記２枚の上刃の間に背中合わせで設置され、前記上刃を外側の前記下刃に押し付ける２枚の皿ばねと、
それぞれ一組の前記皿ばねと前記上刃の内周部の同一箇所に設けられた切欠きと、
前記２枚の皿バネのそれぞれに取り付けられた軸方向への位置規制手段を有し、
左右の前記皿ばねと前記上刃の切欠きの位相をずらすことで、一方の前記皿ばねの前記位置規制手段を他方の前記皿ばねと前記上刃の切欠き部に設置させることを特徴とするウエブの裁断装置。
【請求項７】
請求項６記載のウエブの裁断装置であって、前記ウエブの幅方向の両端を裁断する上刃と下刃のセットを備える２つの裁断機構をさらに有する裁断装置。
【発明の詳細な説明】
【技術分野】
【０００１】
本発明はウエブの裁断方法、及び裁断装置に関し、裁断時に発生する製品間の廃棄部を狭くできるウエブの裁断方法、及び裁断装置に関する。
【背景技術】
【０００２】
ウエブ上に感光層が塗布された製品（例えば、感光性平版印刷版（以下「ＰＳ版」という）は、一般にシート状あるいはコイル状のアルミニウム版からなるウエブ原反に、例えば、砂目立て、陽極酸化、シリケート処理、その他化成処理等の表面処理を単独または適宜組み合わせて行い、次いで、感光液の塗布、乾燥処理を行った後、ウエブ原反を所望のサイズに裁断することで製造される。
【０００３】
表面に感光層が塗布されたウエブの裁断において、感光層が刃物に接触して変形した部分は「カブリ」が発生し製品として使用できない。広幅から複数の製品に多条裁断する際、上刃が感光層に接する部分を廃棄する必要がある。そのため、２組の上刃と下刃のペアを利用して、ウエブを中抜きしつつ裁断することで製品間に廃棄部を設けている。
【０００４】
例えば、特許文献１は、廃棄部の上刃を下刃に安定に押し付けるため２枚の皿バネを背中合わせにし、皿バネへの側圧を均一にするため２枚の皿バネの間にスペーサを入れることを開示する。
【先行技術文献】
【特許文献】
【０００５】
【特許文献１】特開２０００−１０８５３６号公報
【発明の概要】
【発明が解決しようとする課題】
【０００６】
しかしながら、特許文献１では、２枚の皿バネの間にスペーサを挿入させているので、廃棄部の幅が広くなり、ウエブの無駄が生じていた。
【０００７】
本発明はこのような事情に鑑みてなされたもので、広幅から複数の製品に多条裁断する際、製品間に設けられた廃棄部を狭くすることができるウエブの裁断方法、及び裁断装置を提供することを目的とする。
【課題を解決するための手段】
【０００８】
本発明の一態様によると、刃先が外側になるように２枚の上刃が同一軸に設置され、前記上刃の間に背中合わせで設置された２枚の皿ばねの弾性力によって前記上刃が外側の下刃に押し付けることにより連続走行する帯状のウエブを多条のウエブに裁断するウエブの裁断方法であって、左右それぞれ一組の前記皿ばねと前記上刃の内周部の同一箇所に切欠きを設け、かつ左右の前記皿ばねと前記上刃の切欠きの位相をずらすことで、一方の前記皿ばねの軸方向への位置規制手段を他方の前記皿ばねと前記上刃の切欠き部に設置させることを特徴とする。
【０００９】
上述の構成によれば、位置規制手段により皿バネを加圧し、皿バネで上刃を下刃に付勢し、背中合わせで配置される皿バネ及び上刃に形成された切欠きで位置規制手段を収容することで、スペーサを必要としない。
【００１０】
本発明の他の態様によると、好ましくは、刃先を外側になるように第１の軸に設置された２枚の上刃を備える上刃ユニットと第２の軸に設置された２枚の下刃を備える下刃ユニットにより連続走行する帯状のウエブを多条のウエブに裁断するウエブの裁断方法であって、前記上刃ユニットは上刃押さえ部を備える２つの上刃ホルダを備え、前記各上刃ホルダの前記上刃押さえ部に接するように前記上刃が配置され、前記上刃に付勢力を与える皿バネが前記上刃ホルダに取り付けられた位置規制手段で固定され、位置規制手段の場所とは別の箇所において、前記各上刃ホルダ、前記各上刃、前記各皿バネの同一箇所に切欠きが形成され、２つの前記上刃ホルダを、一方の前記上刃ホルダの前記位置規制手段が他方の前記上刃ホルダの前記切欠きで構成される空間に位置するように密着させ、前記２枚の上刃の外側に配置された２枚の下刃で切断する。
【００１１】
本発明の他の態様によると、好ましくは、前記位置規制手段がネジである。
【００１２】
本発明の他の態様によると、好ましくは、前記ウエブは、表面に感光層が塗布されたウエブである。
【００１３】
本発明の他の態様によると、好ましくは、前記ウエブの両端部を同時に裁断する上刃と下刃のセットを２組さらに備える。
【００１４】
本発明の他の態様によると、連続走行する帯状のウエブを多条のウエブに裁断するウエブの裁断装置であって、少なくとも前記ウエブの幅内に設置された裁断機構を備え、前記裁断機構が、刃先が外側になるように同一軸に設置された２枚の上刃と、前記２枚の上刃の外側に配置された２枚の下刃と、前記２枚の上刃の間に背中合わせで設置され、前記上刃を外側の前記下刃に押し付ける２枚の皿ばねと、それぞれ一組の前記皿ばねと前記上刃の内周部の同一箇所に設けられた切欠きと、前記２枚の皿バネのそれぞれに取り付けられた軸方向への位置規制手段を有し、左右の前記皿ばねと前記上刃の切欠きの位相をずらすことで、一方の前記皿ばねの前記位置規制手段を他方の前記皿ばねと前記上刃の切欠き部に設置させることを特徴とする。
【００１５】
本発明の他の態様によると、ウエブの裁断装置であって、前記ウエブの幅方向の両端を裁断する上刃と下刃のセットを備える２つの裁断機構をさらに有する。
【発明の効果】
【００１６】
本発明のウエブの裁断方法、及び裁断装置によれば、広幅から複数の製品に多条裁断する際、製品間に設けられた廃棄部を狭くすることができる。
【図面の簡単な説明】
【００１７】
【図１】従来の裁断部の概略構成図。
【図２】本実施の形態に係る裁断部の概略構成図。
【図３】上刃ユニットの分解斜視図。
【図４】上刃ユニットの一部の組立図。
【図５】裁断装置の概略構成図。
【発明を実施するための形態】
【００１８】
以下、添付図面に従って本発明の好ましい実施の形態について説明する。本発明は以下の好ましい実施の形態により説明されるが、本発明の範囲を逸脱すること無く、多くの手法により変更を行なうことができ、本実施の形態以外の他の実施の形態を利用することができる。したがって、本発明の範囲内における全ての変更が特許請求の範囲に含まれる。また、本明細書において「〜」を用いて表される数値範囲は、「〜」の前後に記載される数値を含む範囲を意味する。
【００１９】
図１は、従来の裁断方法、及び裁断装置を示す概略図であり、図２は本実施の形態の裁断方法、及び裁断祭壇装置を示す概略図である。
【００２０】
図１に示すように、従来の中抜きの裁断では、上刃ユニット２と下刃ユニット３が使用される。上刃ユニット２は、２つの上刃ホルダ４，５と、上刃ホルダ４，５の間に挿入されたスペーサ６を有する。上刃ホルダ４，５はそれぞれ上刃押さえ部７，８を備えている。上刃９とスペーサ６との間に皿バネ１０が配置され、上刃１１とスペーサ６との間に皿バネ１２が配置される。スペーサ６が皿バネ１０、１２を加圧する。皿バネ１０、１２により上刃９，１１が上刃押さえ部７，８に付勢される。下刃ユニット３は離間して配置された下刃１３，１４を備える。下刃１３，１４は上刃９，１１の外側に配置される。上刃ユニット２の中心穴１６に上刃用回転軸が挿入される。同様に下刃ユニット３の中心穴に下刃用回転軸が挿入される。
【００２１】
上刃用回転軸と下刃用回転軸を駆動することにより、一対の上刃９と下刃１３及び一対の上刃１１と下刃１４がそれぞれ回転し、連続走行するウエブＷが中抜きしつつ裁断される。中抜きの部分は廃棄品１５として回収され廃棄される。
【００２２】
上述の裁断方法では、上刃ホルダ４，５の間にスペーサ６が挿入されているので、廃棄品１５の幅Ｌが長くなり、ウエブＷの無駄となっている。
【００２３】
図２（Ａ）はウエブＷを裁断するときの第１状態を示し、図２（Ｂ）は第１状態とは異なる第２状態を示す。
【００２４】
本実施の形態の中抜きの裁断では、上刃ユニット２２と下刃ユニット２３で構成される。上刃ユニット２２は、２つの円筒状の上刃ホルダ２４，２５を有する。上刃ホルダ２４，２５は、それぞれ円周に沿って形成された上刃押さえ部２７，２８を備えている。
【００２５】
図２（Ａ）に示すように、上刃ホルダ２４には、複数のネジ４０が、上刃ホルダ２４の円周方向に沿って、例えば中心角６０°毎に取り付けられる。複数のネジ４０と上刃３０の間に皿バネ３０が配置される。複数のネジ４０が皿バネ３０を加圧し、固定する。皿バネ３０により上刃２９が上刃押さえ部２７に付勢される。
【００２６】
図２（Ａ）に示すように、複数のネジ４０に対応する位置に、複数の切欠き５０が上刃ホルダ２５に形成される。同様に、複数のネジ４０に対応する位置に、上刃３１及び皿バネ３２にも複数の切欠き５２，５４が形成される。これによりネジ４０の頭部が、切欠き５０，５２，５４で形成される空間に収納される。
【００２７】
一方、図２（Ｂ）に示すように、上刃ホルダ２５には、複数のネジ４２が、上刃ホルダ２５の円周方向に沿って、例えば中心角６０°毎に取り付けられる。ネジ４２と上刃３１の間に皿バネ３２が配置される。ネジ４２が皿バネ３２を加圧し、固定する。皿バネ３２により上刃３１が上刃押さえ部２８に付勢される。
【００２８】
図２（Ｂ）に示すように、複数のネジ４２に対応する位置に、複数の切欠き６０が上刃ホルダ２４に形成される。同様に、複数のネジ４２に対応する位置に、上刃２９及び皿バネ３０にも複数の切欠き６２，６４が形成される。これによりネジ４２の頭部が、切欠き６０，６２，６４で形成される空間に収納される。
【００２９】
上述したように上刃ホルダ２４は、交互に配置された複数のネジ４０と複数の切欠き６０を有する。同様に、上刃ホルダ２５は、交互に配置された複数のネジ４２と複数の切欠き５０を有する。上刃ホルダ２４と上刃ホルダ２５を向かい合わせて密着させたとき、上刃ホルダ２４のネジ４０と上刃ホルダ２５の切欠き５０が、上刃ホルダ２５のネジ４２と上刃ホルダ２４の切欠き６０が対向するよう位置決めされ、上刃ホルダ２４と上刃ホルダ２５が密着される。この構成により、上刃ユニット２２は、上刃ホルダ２４と上刃ホルダ２５との間のスペーサを必要としない。
【００３０】
本実施形態では、（１）ネジで皿バネを加圧し、皿バネで上刃を付勢し、（２）ネジの頭部を背中合わせで配置される、皿バネ、上刃、上刃ホルダに形成された切欠きで収容することで、スペーサを必要としない。
【００３１】
下刃ユニット２３は離間して配置された下刃３３，３４を備える。下刃３３，３４は上刃２９，３１の外側に配置される。上刃ユニット２２の中心穴３６に上刃用回転軸が挿入される。同様に下刃ユニット２３の中心穴に下刃用回転軸が挿入される。
【００３２】
上刃用回転軸と下刃用回転軸を駆動することにより、一対の上刃２９と下刃３３及び一対の上刃３１と下刃３４がそれぞれ回転し、連続走行するウエブＷが中抜きしつつ裁断される。中抜きの部分は廃棄品１５として回収され廃棄される。
【００３３】
上述の裁断装置２１では、上刃ホルダ２４，２５の間にスペーサが挿入されていないので、廃棄品１５の幅Ｌ１を従来の幅Ｌより短くすることができる。ウエブＷのロスを少なくすることができる。
【００３４】
図３は、上刃ユニットの分解斜視図である。図３（Ａ）は、上刃ホルダ２４、上刃２９、皿バネ３０の分解斜視図である。上刃ホルダ２４の切欠き６０、上刃２９の切欠き６２、皿バネ３０の切欠き６４の位置が一致するように位置決めされる、複数のネジ４０が、上刃ホルダ２４の切欠き６０が形成されてない位置に取り付けられる。６個のネジ４０が皿バネ３０を加圧し、固定する。図３（Ｂ）は、上刃ホルダ２５、上刃３１、皿バネ３２の分解斜視図である。上刃ホルダ２５の切欠き５０、上刃３１の切欠き５２、皿バネ３２の切欠き５４の位置が一致するように位置決めされる、複数のネジ４２が、上刃ホルダ２５の切欠き５０が形成されてない位置に取り付けられる。６個のネジ４２が皿バネ３２を加圧し、固定する。図３に示すように、上刃ホルダ２４側と上刃ホルダ２５側とを比較すると、上刃ホルダ２４のネジ４０と上刃ホルダ２５のネジ４２の位置は、所定の位相でずれている。ネジ４０，４２同士は干渉せず、ネジ４０，４２は切欠き６０，６２，６４で構成される空間、切欠き５０，５２，４４で構成される空間にそれぞれ収容される。
【００３５】
図４は、組立後の上刃ホルダ２５、上刃３１、皿バネ３２を示す。ネジ４２により皿バネ３２が上刃ホルダ２５に固定される。切欠き５０，５２，５４により、他方の上刃ホルダのネジ頭部を収容する空間が形成される。
【００３６】
ウエブＷ上に感光層が塗布された製品が、例えば、ＰＳ版である場合、ウエブとして、寸度的に安定なアルミニウムまたはその合金（例えば珪素、銅、マンガン、マグネシウム、クロム、亜鉛、鉛、ビスマス、ニッケルとの合金）を用いることができる。通常は、アルミニウムハンドブック第４版（１９９０、軽金属協会発行）に記載の従来公知の素材、例えば、ＪＩＳ  Ａ  ｌ０５０材、ＪＩＳ  Ａ  ｌｌ００材、ＪＩＳ  Ａ  ３１０３材、ＪＩＳ  Ａ  ３００４材、ＪＩＳ  Ａ  ３００５材または引っ張り強度を増す目的でこれらに０．１ｗｔ％以上のマグネシウムを添加した合金が用いられる。
【００３７】
ウエブＷがアルミニウム板の場合、表面処理部において、その表面を目的に応じて各種処理を施すのが通例である。一般的な処理方法としてはアルミニウム板を先ず脱脂または電解研磨処理とデスマット処理によりアルミ表面の清浄化を行なう。その後に機械的粗面化処理又は／及び電気化学的粗面化処理を施しアルミニウム板の表面に微細な凹凸を付与する。尚、この時にさらに化学的エッチング処理とデスマット処理を加える場合もある。その後、アルミニウム板表面の耐摩耗を高めるために陽極酸化処理が施され、その後アルミニウム表面は必要に応じて親水化処理又は／及び封孔処理が行われる。但し、支持体はこれらに限定されず、金属と樹脂の複合素材でもよい。
【００３８】
連続走行するウエブＷに、塗布装置により感光層形成液が塗布され下層が形成される。塗布装置として、特に塗布方式が限定されず、コーティングロッドを用いる方法や、エクストルージョン型コータを用いる方法、あるいはスライドビードコーターを用いる方法等を適用した塗工装置が使用できる。
【００３９】
平版印刷版の感光層を構成するための感光層形成液としては、以下の（１）〜（１１）の態様の感光層を構成するような感光液が挙げられる。
（１）感光層が赤外線吸収剤、熱によって酸を発生する化合物、および酸によって架橋する化合物を含有する態様。
（２）感光層が赤外線吸収剤、および熱によってアルカリ溶解性となる化合物を含有する態様。
（３）感光層が、レーザー光照射によってラジカルを発生する化合物、アルカリに可溶のバインダー、および多官能性のモノマーあるいはプレポリマーを含有する層と、酸素遮断層との２層を含む態様。
（４）感光層が、物理現像核層とハロゲン化銀乳剤層との２層からなる態様。
（５）感光層が、多官能性モノマーおよび多官能性バインダーを含有する重合層と、ハロゲン化銀と還元剤を含有する層と、酸素遮断層との３層を含む態様。
（６）感光層が、ノボラック樹脂およびナフトキノンジアジドを含有する層と、ハロゲン化銀を含有する層との２層を含む態様。
（７）感光層が、有機光導電体を含む態様。
（８）感光層が、レーザー光照射によって除去されるレーザー光吸収層と、親油性層及び／又は親水性層とからなる２〜３層を含む態様。
（９）感光層が、エネルギーを吸収して酸を発生する化合物、酸によってスルホン酸またはカルボン酸を発生する官能基を側鎖に有する高分子化合物、および可視光を吸収することで酸発生剤にエネルギーを与える化合物を含有する態様。
（１０）感光層が、キノンジアジド化合物と、ノボラック樹脂とを含有する態様。
（１１）感光層が、光又は紫外線により分解して自己もしくは層内の他の分子との架橋構造を形成する化合物とアルカリに可溶のバインダーとを含有する態様。但し、塗布装置及び塗布液は、これらに限定されない。
【００４０】
このような感光層が塗布されたウエブを裁断するとき、上刃と接触する部分に「カブリ」が発生しやすい。したがって、広幅ウエブから複数の製品に多条裁断する際、本実施の形態の裁断方法を好適に使用することができる。
【００４１】
次に、ＰＳ版を作成するスリッタ装置について図５を参照に簡単に説明する。スリッタ装置１００には、ウエブＷの耳部を切断するため、一対の上刃１１２と下刃１１６がＰＳ版原反の幅方向の両端部に設置される。スリッタ装置１００の略中央部には、２枚の上刃２９，３１を有する上刃ユニット２２と、２枚の下刃３３，３４を有する下刃ユニット２３が設置される。一対の上刃１１２と下刃１１６と、一対の上刃ユニット２２下刃ユニット２３によりＰＳ版の原反を中抜きしつつ２条のＰＳ版Ｗ１、Ｗ２に切断する。
【００４２】
両端部に設置された上刃１１２、１１２と下刃１１６、１１６とは、コラム１２４に支持される。コラム１２４は、基台１２６上に設置されたレール１２８上に支持される。コラム１２４はレール１２８に沿ってＰＳ版Ｗ１、Ｗ２の幅方向にスライド移動自在となっている。したがって、ＰＳ版Ｗ１、Ｗ２のサイズに対応してコラム１２４がスライド移動される。
【００４３】
ＰＳ版Ｗ１、Ｗ２の感光層が形成された面（この場合上側）にバリを発生させないため、下刃１１６、１１６が製品面を受ける位置よりも、上刃１１２、１１２が外側に配置される。また、中央部では中抜きを行なうため上刃２９と上刃３１は相反した向きに設置される。下刃３３はＰＳ版Ｗ１の端部を、下刃３４はＰＳ版Ｗ２の端部を支持するよう設置される。
【００４４】
本実施の形態では、スペーサを備えていない上刃ユニット２２と、下刃ユニット２３を備えているので、廃棄品の幅を狭くすることができる。
【符号の説明】
【００４５】
２２…上刃ユニット、２３…下刃ユニット、２４，２５…上刃ホルダ、２７，２８…上刃押さえ部、２９，３１…上刃、３０，３２…皿バネ、３３，３４…下刃、４０，４２…ネジ、５０，５２，５４，６０，６２，６４…切欠き
【図１】
2011177868.tif 000003
【図２】
2011177868.tif 000004
【図３】
2011177868.tif 000005
【図４】
2011177868.tif 000006
【図５】
2011177868.tif 000007